(57)【特許請求の範囲】
【請求項１】
対向一対の縦板と、対向一対の前記縦板に支持される棚板とを備えた収納家具へのワイヤーラックの取付方法であって、
前記ワイヤーラックは、ラック本体及びそのラック本体から横方向に張り出す支持杆を有し、
前記棚板における側端面に前記ワイヤーラックの前記支持杆を挿入可能なラック取付孔を形成し、そのラック取付孔に前記支持杆を挿入した状態で、前記棚板を左右一対の前記縦板に支持することによって、前記ワイヤーラックを取り付けるようにしたことを特徴とするワイヤーラックの取付方法。
【請求項２】
対向一対の縦板と、対向一対の前記縦板に支持される棚板とを備えた、ワイヤーラックを取付可能な収納家具であって、
前記ワイヤーラックは、ラック本体及びそのラック本体から横方向に張り出す支持杆を有し、
前記棚板における側端面に前記ワイヤーラックの前記支持杆を挿入可能なラック取付孔を形成し、そのラック取付孔に前記支持杆を挿入した状態で、前記棚板を左右一対の前記縦板に支持することによって、前記ワイヤーラックを取り付けるようにしたことを特徴とする収納家具。
【請求項３】
対向一対の縦板と、対向一対の前記縦板に支持される棚板とを備えた、ワイヤーラックを取付可能な収納家具であって、
前記ワイヤーラックは、ラック本体及びそのラック本体から横方向に張り出す支持杆を有し、
前記棚板における後端面に前記ワイヤーラックの前記支持杆を挿入可能なラック取付孔を形成し、そのラック取付孔に前記支持杆を挿入した状態で、前記棚板を左右一対の前記縦板に支持することによって、前記ワイヤーラックを取り付けるようにしたことを特徴とする収納家具。
【請求項４】
対向一対の縦板と、対向一対の前記縦板に支持される棚板とを備えた、ワイヤーラックを取付可能な収納家具であって、
前記ワイヤーラックは、ラック本体から立ち上がる起立部と、前記起立部の上端から横方向に延びる水平部と、前記水平部の先端から垂下する垂下部とを有する鉤状の掛止杆を有し、
前記棚板における側端面に前記掛止杆における前記起立部が嵌り込む切欠部を形成すると共に、前記棚板における上面に前記掛止杆における前記垂下部が挿入可能なラック取付孔を形成し、前記掛止杆の起立部を前記棚板の切欠部に嵌め込むと共に、前記掛止杆の垂下部を前記棚板のラック取付孔に挿入した状態で、前記棚板を左右一対の前記縦板に支持することによって、前記ワイヤーラックを取り付けるようにしたことを特徴とする収納家具。
【請求項５】
前記ワイヤーラックを取り付けた状態では、前記ラック本体が前記縦板または背板の内面を押圧するようになっている請求項２、３または４に記載の収納家具。
【請求項６】
前記ワイヤーラックを取り付けた状態では、前記ワイヤーラックと前記縦板または背板の内面との間に隙間が形成されている請求項２、３または４に記載の収納家具。
【発明の詳細な説明】
【技術分野】
【０００１】
この発明は、収納家具へのワイヤーラックの取付方法及びワイヤーラックを取付可能な収納家具に関する。
【背景技術】
【０００２】
キャビネット等の収納家具には、金属製の線材を屈曲または湾曲させることによって所定の形状に形成してなるワイヤーラックを着脱自在に取り付けることができるものがあり、こういった収納家具にワイヤーラックを取り付けるには、例えば、ワイヤーラックを側板にねじ止めしたり、側板に孔を開けてワイヤーラックを引っかけたりする方法が考えられる。
【先行技術文献】
【特許文献】
【０００３】
【特許文献１】実開昭５９−０２９９５２号公報
【特許文献２】実開昭５６−０１１６８５号公報
【特許文献３】実公昭４３−０１４５３１号公報
【発明の概要】
【発明が解決しようとする課題】
【０００４】
しかしながら、側板にワイヤーラックをねじ止めするという取付方法を採用すると、ワイヤーラックを取り外したり、ワイヤーラックの取付位置を変更したりする場合、側板に使用後のねじ孔が露出することになり、体裁が悪いといった問題がある。
【０００５】
また、側板に孔を開けてワイヤーラックを引っかけるという取付方法を採用した場合、側板の厚さが薄いと、側板に形成する孔を貫通させる必要があり、側板の外面に孔が露出することになるので、見栄えが悪くなるといった問題があると共に、ワイヤーラックの取付杆が側板の外面側に突出した場合は、収納家具を設置する際に、収納家具の側板を壁面に接触させることができなくなるといった問題がある。
【０００６】
そこで、この発明の課題は、ワイヤーラックを取り外したり、取付位置を変更した場合でも、極端に体裁が悪くなることがなく、しかも、ワイヤーラックを簡単かつ確実に取り付けることができるワイヤーラックの取付方法及びワイヤーラックを取付可能な収納家具を提供することにある。
【課題を解決するための手段】
【０００７】
上記の課題を解決するため、請求項１に係る発明は、対向一対の縦板と、対向一対の前記縦板に支持される棚板とを備えた収納家具へのワイヤーラックの取付方法であって、前記ワイヤーラックは、ラック本体及びそのラック本体から横方向に張り出す支持杆を有し、前記棚板における側端面に前記ワイヤーラックの前記支持杆を挿入可能なラック取付孔を形成し、そのラック取付孔に前記支持杆を挿入した状態で、前記棚板を左右一対の前記縦板に支持することによって、前記ワイヤーラックを取り付けるようにしたことを特徴とするワイヤーラックの取付方法を提供するものである。
【０００８】
また、上記の課題を解決するため、請求項２に係る発明は、対向一対の縦板と、対向一対の前記縦板に支持される棚板とを備えた、ワイヤーラックを取付可能な収納家具であって、前記ワイヤーラックは、ラック本体及びそのラック本体から横方向に張り出す支持杆を有し、前記棚板における側端面に前記ワイヤーラックの前記支持杆を挿入可能なラック取付孔を形成し、そのラック取付孔に前記支持杆を挿入した状態で、前記棚板を左右一対の前記縦板に支持することによって、前記ワイヤーラックを取り付けるようにしたことを特徴とする収納家具を提供するものである。
【０００９】
また、上記の課題を解決するため、請求項３に係る発明は、対向一対の縦板と、対向一対の前記縦板に支持される棚板とを備えた、ワイヤーラックを取付可能な収納家具であって、前記ワイヤーラックは、ラック本体及びそのラック本体から横方向に張り出す支持杆を有し、前記棚板における後端面に前記ワイヤーラックの前記支持杆を挿入可能なラック取付孔を形成し、そのラック取付孔に前記支持杆を挿入した状態で、前記棚板を左右一対の前記縦板に支持することによって、前記ワイヤーラックを取り付けるようにしたことを特徴とする収納家具を提供するものである。
【００１０】
また、上記の課題を解決するため、請求項４に係る発明は、対向一対の縦板と、対向一対の前記縦板に支持される棚板とを備えた、ワイヤーラックを取付可能な収納家具であって、前記ワイヤーラックは、ラック本体から立ち上がる起立部と、前記起立部の上端から横方向に延びる水平部と、前記水平部の先端から垂下する垂下部とを有する鉤状の掛止杆を有し、前記棚板における側端面に前記掛止杆における前記起立部が嵌り込む切欠部を形成すると共に、前記棚板における上面に前記掛止杆における前記垂下部が挿入可能なラック取付孔を形成し、前記掛止杆の起立部を前記棚板の切欠部に嵌め込むと共に、前記掛止杆の垂下部を前記棚板のラック取付孔に挿入した状態で、前記棚板を左右一対の前記縦板に支持することによって、前記ワイヤーラックを取り付けるようにしたことを特徴とする収納家具を提供するものである。
【００１１】
また、請求項５に係る発明は、請求項２、３または４に係る発明の収納家具において、前記ワイヤーラックを取り付けた状態では、前記ラック本体が前記縦板または背板の内面を押圧するようになっている点を特徴としている。
【００１２】
また、請求項６に係る発明は、請求項２、３または４に係る発明の収納家具において、前記ワイヤーラックを取り付けた状態では、前記ワイヤーラックと前記縦板または背板の内面との間に隙間が形成されている点を特徴としている。
【発明の効果】
【００１３】
以上のように、請求項１に係る発明のワイヤーラックの取付方法及び請求項２に係る発明の収納家具では、棚板における側端面にワイヤーラックの支持杆を挿入可能なラック取付孔を形成し、そのラック取付孔に支持杆を挿入した状態で、棚板を左右一対の縦板に支持することによって、ワイヤーラックを取り付けるようにしたので、ワイヤーラックを側板にねじ止めする場合のように、ワイヤーラックを取り外したり、取付位置を変更したりしたときに、ねじ孔の跡が残ることがなく、見栄えが悪くならない。
【００１４】
また、側板に形成した取付孔にワイヤーラックを引っかける場合のように、ワイヤーラックの取付孔を側板に形成する必要がないので、側板の外面側に取付孔が露出することがなく、見栄えが悪くならないと共に、ワイヤーラックを取り付けた状態でも、取付部等のワイヤーラックの一部が側板の外面側に出っ張ることがないので、収納家具を設置する際に、側板の外面を壁面に接触させることができ、設置状態の見栄えが悪くなることもない。
【００１５】
また、請求項３に係る発明の収納家具では、棚板における後端面にラック取付孔を形成しているので、ワイヤーラックを取り付けない場合であっても、ラック取付孔が視認されにくいという効果が得られる。
【００１６】
また、請求項４に係る発明の収納家具では、棚板における側端面に掛止杆における起立部が嵌り込む切欠部を形成すると共に、棚板における上面に掛止杆における垂下部が挿入可能なラック取付孔を形成し、掛止杆の起立部を棚板の切欠部に嵌め込むと共に、掛止杆の垂下部を棚板のラック取付孔に挿入した状態で、棚板を左右一対の縦板に支持することによって、前記ワイヤーラックを取り付けるようにしたので、請求項２に係る発明の収納家具と同様の効果を得ることができる。
【００１７】
また、請求項５に係る発明の収納家具では、ワイヤーラックを取り付けた状態で、ワイヤーラックのラック本体が縦板または背板の内面を押圧するようになっているので、ワイヤーラックががたつくことがなく、安定した取付状態を確保することができる。
【００１８】
また、請求項６に係る発明の収納家具では、ワイヤーラックを取り付けた状態で、ワイヤーラックと縦板または背板の内面との間に隙間が形成されているので、ワイヤーラックと縦板または背板との接触音が発生することがない。
【図面の簡単な説明】
【００１９】
【図１】この発明に係るキャビネットの一実施形態を示す斜視図である。
【図２】（ａ）は同上のキャビネットを構成している可動棚板を示す一部切欠平面図、（ｂ）は同上の可動棚板を示す正面図、（ｃ）は同上の可動棚板を示す側面図である。
【図３】同上のキャビネットを構成しているワイヤーラックを示す斜視図である。
【図４】（ａ）は同上のワイヤーラックを示す平面図、（ｂ）は同上のワイヤーラックを示す側面図、（ｃ）は同上のワイヤーラックを示す正面図である。
【図５】（ａ）は図２のＸ−Ｘ線に沿った断面図、（ｂ）は同上の可動棚板における側端面を示す部分拡大図、（ｃ）は同上の可動棚板における下面を示す部分拡大図である。
【図６】（ａ）は可動棚板にワイヤーラックを取り付ける直前の状態を示す斜視図、（ｂ）は可動棚板にワイヤーラックを取り付けた状態を示す斜視図である。
【図７】（ａ）は他の実施形態であるキャビネットの可動棚板を示す断面図、（ｂ）は同上の可動棚板における側端面を示す部分拡大図である。
【図８】（ａ）は他の実施形態であるキャビネットの可動棚板を示す断面図、（ｂ）は同上の可動棚板における側端面を示す部分拡大図である。
【図９】（ａ）は他の実施形態であるキャビネットの可動棚板を示す断面図、（ｂ）は同上の可動棚板の側端面を示す部分拡大図、（ｃ）は同上の可動棚板の上面を示す部分拡大図である。
【発明を実施するための形態】
【００２０】
以下、実施の形態について図面を参照して説明する。図１に示すように、このキャビネット１は、対向一対の側板１１、１１と、この側板１１、１１を上端部で連結する天板１２と、一対の側板１１、１１における背面側の下端部を部分的に連結する底板１３と、側板１１、１１間を閉塞する背板１４と、対向一対の側板１１、１１にそれぞれ取り付けた棚ダボに載置することで、対向一対の側板１１、１１間に掛け渡される複数枚の可動棚板１５とを備えており、φ５ｍｍの金属製の線材を屈曲させることによって形成されたワイヤーラック２０を着脱自在に取り付けることができるようになっている。
【００２１】
前記棚板１５は、図２（ａ）〜（ｃ）に示すように、前後方向の両端部に配置されている一対の心材１６ａ、１６ａ、幅方向の両端部に配置されている一対の心材１６ｂ、１６ｂ及び奥行き方向の中央部で幅方向に横断する心材１６ｃの表裏両面に合板等の表面材１７を張り合わせたフラッシュボードによって形成されており、幅方向の両端部に配設されている一対の心材１６ｂには、奥行き方向の前半部に、ワイヤーラック２０を取り付けるための一対のラック取付孔１８、１８がそれぞれ形成されている。
【００２２】
前記ワイヤーラック２０は、図３及び図４（ａ）〜（ｃ）に示すように、ハンディータイプの掃除機やモップ等の掃除用具を支持するラック本体２１及びそのラック本体２１の上端から横方向に張り出す前後一対の支持杆２２、２２とから構成されており、図６（ａ）、（ｂ）に示すように、可動棚板１５の側端面に形成されたラック取付孔１８に支持杆２２を挿入した状態で、その可動棚板１５を左右一対の側板１１、１１に支持することで、ラック本体２１が側板１１に沿うような状態でワイヤーラック２０が取り付けられるようになっている。
【００２３】
なお、前記棚板１５に形成されたラック取付孔１８は、図５（ａ）〜（ｃ）に示すように、可動棚板１５の側端面から幅方向の内側に延びるφ５．５ｍｍの孔本体１８ａと、この孔本体１８ａの開口端から下面に至る切欠部１８ｂとから構成されており、ワイヤーラック２０の支持杆２２をラック取付孔１８に挿入したときに、ワイヤーラック２０のラック本体２１と支持杆２２との境界部分である円弧状の屈曲部分が切欠部１８ｂに収容されるようになっている。
【００２４】
また、このワイヤーラック２０は、図４（ｃ）に示すように、支持杆２２とラック本体２１とのなす角度αが９４度に設定されており、上述したように、ワイヤーラック２０を取り付けた可動棚板１５を、棚ダボを介して、左右一対の側板１１、１１に支持すると、ワイヤーラック２０におけるラック本体２２の下端部が側板１１の内面を外側に押圧するような状態となっている。
【００２５】
以上のように、このキャビネット１では、可動棚板１５、１５における側端面にワイヤーラック２０の支持杆２２を挿入可能なラック取付孔１８を形成し、そのラック取付孔１８に支持杆２２を挿入した状態で、可動棚板１５を左右一対の側板１１、１１に支持することによって、ワイヤーラック２０を取り付けるようにしたので、ワイヤーラックを側板にねじ止めする場合のように、ワイヤーラックを取り外したり、取付位置を変更したりしたときに、ねじ孔の跡が残ることがなく、見栄えが悪くならない。
【００２６】
また、ワイヤーラックを側板に引っかける場合のように、ワイヤーラックの取付孔を側板に形成する必要がないので、側板１１の外面側に取付孔が露出することがなく、見栄えが悪くならないと共に、ワイヤーラック２０を取り付けた状態でも、支持杆２２等のワイヤーラック２０の一部が側板１１の外面側に出っ張ることがないので、キャビネット１を設置する際に、側板１１の外面を壁面に接触させることができ、設置状態の見栄えが悪くなることもない。
【００２７】
特に、このキャビネット１では、ワイヤーラック２０を取り付けた状態で、ワイヤーラック２０のラック本体２１が側板１１の内面を外側に押圧するようになっているので、ワイヤーラック２０ががたつくことがなく、安定した取付状態を確保することができる。
【００２８】
なお、上述した実施形態では、ワイヤーラック２０のラック本体２１が、支持杆２２を取り付けた可動棚板１５の下方側の空間に配置されることになるが、これに限定されるものではなく、例えば、図７（ａ）、（ｂ）に示すように、ラック本体２１Ａの下端部に支持杆２２Ａを連設したワイヤーラック２０Ａを採用すると共に、孔本体１８Ａａの開口端から上面に至る切欠部１８Ａｂを有するラック取付孔１８Ａが形成された可動棚板１５Ａを採用することによって、ワイヤーラック２０Ａのラック本体２１Ａを、支持杆２２Ａを取り付けた可動棚板１５Ａの上方側の空間に配置させることも可能である。
【００２９】
また、上述した実施形態では、ラック取付孔１８、１８Ａを構成している切欠部１８ｂ、１８Ａｂを、可動棚板１５、１５Ａの下面側または上面側のいずれか一方に形成しているが、これに限定されるものではなく、図８（ａ）、（ｂ）に示すように、上面から下面に至る切欠部１８Ｂｂを有するラック取付孔１５Ｂが形成された可動棚板１５Ｂを採用すると、ラック本体２１の上端部に支持杆２２を連設したワイヤーラック２０及びラック本体２１Ａの下端部に支持杆２２Ａを連設したワイヤーラック２０Ａのいずれにも対応することができるので、それぞれのワイヤーラック２０、２０Ａに対応した可動棚板を個別に準備する必要がなく、部品の共有化を図ることができるという効果が得られる。
【００３０】
また、上述した各実施形態では、ワイヤーラック２０、２０Ａにおけるラック本体２１、２１Ａの上端から横方向に張り出す支持杆２２、２２Ａを可動棚板１５の側端面に形成されたラック取付孔１８に挿入するようにしているが、これに限定されるものではなく、例えば、図９（ａ）〜（ｃ）に示すように、支持杆２２に代えて、ラック本体２１Ｂから立ち上がる起立部２２Ｂａと、その起立部２２Ｂａの上端から横方向に延びる水平部２２Ｂｂと、水平部２２Ｂｂの先端から垂下する垂下部２２Ｂｃからなる鉤状の掛止杆２２Ｂを有するワイヤーラック２０Ｂを採用すると共に、掛止杆２２Ｂにおける垂下部２２Ｂｃが挿入可能なラック取付孔１８Ｃが上面に、掛止杆２２Ｂにおける起立部２２Ｂａが嵌り込む切欠部１９ａが側端面にそれぞれ形成された可動棚板１５Ｃを採用し、掛止杆２２Ｂの起立部２２Ｂａを可動棚板１５Ｂの切欠部１９ａに嵌め込むと共に、掛止杆２２Ｂの垂下部２２Ｂｃを可動棚板１５Ｂのラック取付孔１８Ｃに挿入した状態で、可動棚板１５Ｂを左右一対の側板１１、１１に支持することによって、ワイヤーラック２０Ｂを取り付けるようにしてもよい。なお、可動棚板１５Ｃの上面には、掛止杆２２Ｂにおける水平部２２Ｂｂが嵌り込む浅い半円形状の溝１９ｂが形成されている。
【００３１】
また、上述した実施形態では、ワイヤーラック２０を取り付けた状態で、ワイヤーラック２０のラック本体２１が側板１１の内面を外側に押圧することで、ワイヤーラック２０のがたつきを防止し、安定した取付状態を確保しているが、これに限定されるものではなく、逆に、ワイヤーラックを取り付けた可動棚板を一対の側板に支持した状態で、ワイヤーラックと側板との間に２０〜３０ｍｍ程度の隙間が形成されるようにしておくと、ワイヤーラックと側板とが接触しないので、両者の接触音が発生することがなく、ガタツキのない印象を与えることができる。このように、ワイヤーラックと側板との間にあえて２０〜３０ｍｍ程度の隙間を形成する場合は、支持杆２２とラック本体２１とのなす角度αを９０度未満に設定しておくと、ワイヤーラックと側板とがより接触しにくくなるので、さらに望ましい。
【００３２】
また、上述した実施形態では、可動棚板１５、１５Ａ、１５Ｂ、１５Ｃの側端部にワイヤーラック２０、２０Ａ、２０Ｂを取り付けているが、これに限定されるものではなく、可動棚板の後端部にワイヤーラックをとりつけることも可能である。その場合は、可動棚板の後端面にラック取付孔を形成したり、可動棚板の後端面に切欠部を形成すると共に後部上面にラック取付孔を形成したりすることになる。
【００３３】
また、上述した各実施形態では、可動棚板１５、１５Ａ、１５を対向一対の側板１１、１１に支持する場合について説明したが、これに限定されるものではなく、対向する側板と仕切板に可動棚板を支持する場合にも、本発明を適用することができることはいうまでもない。
【００３４】
また、上述した各実施形態では、対向一対の側板１１、１１間を閉塞する背板１４を備えているが、これに限定されるものではなく、本発明は、背面側が完全に解放されているキャビネットについても適用することができる。
【００３５】
また、上述した各実施形態では、前面側が完全に解放されているキャビネットについて説明したが、これに限定されるものではなく、本発明は、前面を扉によって開閉することができるキャビネットについても適用することができることはいうまでもない。
【００３６】
また、上述した各実施形態では、取付高さ位置を変更することができる可動棚板１５、１５Ａ、１５にワイヤーラック２０、２０Ａ、２０Ｂを取り付けるキャビネットについて説明したが、これに限定されるものではなく、棚板が側板に完全に固定され、取付高さ位置を変更することができないタイプのキャビネットについても適用することができることはいうまでもない。
【産業上の利用可能性】
【００３７】
本発明は、ワイヤーラックを取り付けることができるキャビネット等の収納家具に利用することができる。
【符号の説明】
【００３８】
１  キャビネット（収納家具）
１１  側板（縦板）
１２  天板
１３  底板
１４  背板
１５、１５Ａ、１５Ｂ、１５Ｃ  可動棚板（棚板）
１６ａ、１６ｂ、１６ｃ  心材
１７  表面材
１８、１８Ａ、１８Ｂ、１８Ｃ  ラック取付孔
１８ａ、１８Ａａ、１８Ｂａ  孔本体
１８ｂ、１８Ａｂ、１８Ｂｂ  切欠部
１９ａ  切欠部
１９ｂ  溝
２０、２０Ａ、２０Ｂ  ワイヤーラック
２１、２１Ａ、２１Ｂ  ラック本体
２２、２２Ａ  支持杆
２２Ｂ  掛止杆
２２Ｂａ  起立部
２２Ｂｂ  水平部
２２Ｂｃ  垂下部
【図１】
0005757789.tif 000002
【図２】
0005757789.tif 000003
【図３】
0005757789.tif 000004
【図４】
0005757789.tif 000005
【図５】
0005757789.tif 000006
【図６】
0005757789.tif 000007
【図７】
0005757789.tif 000008
【図８】
0005757789.tif 000009
【図９】
0005757789.tif 000010